(57)【要約】      （修正有）【課題】冷蔵庫の庫内に設けられた棚の上面に置かれた収容物を効率よく冷却することができるとともに、庫内の収容物の量が多くなった場合における庫内温度分布の偏りの発生を抑制することができる冷蔵庫を提供する。【解決手段】冷蔵庫においては、冷蔵庫本体が備える部屋内に１つ以上設けられ、収容物をその上面に載置するための棚板３と、空気を冷却して冷気を生成する冷却器と、冷却器が生成した冷気を部屋へと供給するための冷気通路６と、冷気を部屋へと送る気流を冷気通路内に発生させる送風機と、冷気風路と連通し、部屋の内壁面に設けられた冷気吹出し口９２１と、少なくとも１つの棚板の下方に設けられ、冷気吹出し口が設けられた内壁面に近い箇所での当該棚板の下面との距離が、当該内壁面から遠い箇所での当該棚板の下面との距離以上となるように配置されたウイング３１と、を備えた構成とする。【選択図】図３
2014159894.tif 000002
【特許請求の範囲】
【請求項１】
冷蔵庫本体が備える部屋内に１つ以上設けられ、収容物をその上面に載置するための棚板と、
空気を冷却して冷気を生成する冷却器と、
前記冷却器が生成した冷気を前記部屋へと供給するための冷気通路と、
冷気を前記部屋へと送る気流を前記冷気通路内に発生させる送風機と、
前記冷気風路と連通し、前記部屋の内壁面に設けられた冷気吹出し口と、
少なくとも１つの前記棚板の下方に設けられ、前記冷気吹出し口が設けられた前記内壁面に近い箇所での当該棚板の下面との距離が、当該内壁面から遠い箇所での当該棚板の下面との距離以上となるように配置されたウイングと、を備えた冷蔵庫。
【請求項２】
前記ウイングは、前記当該棚板の上面の面積より、前記ウイングの当該上面と平行な投影面への射影面積の方が小さくなるように形成された請求項１に記載の冷蔵庫。
【請求項３】
前記当該棚板の下面に、当該下面から垂直に下方へと突出して設けられた棚下面リブを備えた請求項１又は請求項２に記載の冷蔵庫。
【請求項４】
前記棚下面リブは、２つ以上設けられ、これら２つ以上の前記棚下面リブのうち、対となる２つの前記棚下面リブ同士の間隔について、前記冷気吹出し口が設けられた内壁面に近い箇所での間隔が、当該内壁面から遠い箇所での間隔より狭くなるように配置される請求項３に記載の冷蔵庫。
【請求項５】
前記ウイング及び／又は前記棚下面リブは、前記棚板に対し着脱自在に設けられた請求項１から請求項４のいずれか一項に記載の冷蔵庫。
【請求項６】
前記当該棚板の下面に、当該下面から下方へと突出して設けられ、その長手が当該下面に沿って形成された気流の経路を横切るようにして配置され、当該気流を下方向へと曲げて下降流を生成するための下降流リブを備えた請求項１から請求項５のいずれか一項に記載の冷蔵庫。
【請求項７】
前記下降流リブは、前記当該棚板の下面に沿って移動可能に設けられた請求項６に記載の冷蔵庫。
【請求項８】
前記棚下面リブは、可撓性を有し、一端が前記当該棚板の下面に固定され、他端が前記下降流リブに固定され、前記下降流リブの移動に応じて変形可能に設けられた請求項３又は請求項４に従属する請求項６に従属する請求項７に記載の冷蔵庫。
【請求項９】
前記部屋の内壁面に、当該内壁面から前記部屋の内方へと突出して設けられ、その長手が前記内壁面に沿って形成された気流の経路を横切るようにして配置され、当該気流を前記部屋の内方へと誘導するための内壁面リブを備えた請求項１から請求項６のいずれか一項に記載の冷蔵庫。
【請求項１０】
前記当該棚板の下側の棚板の上面に施され、前記下降流リブにより生成された下降流及び／又は前記内壁面リブにより前記部屋の内方へと誘導された気流の当たる位置に配置されたマーキングを備えた請求項６から請求項９のいずれか一項に記載の冷蔵庫。
【請求項１１】
前記当該棚板の下面と、前記ウイングとの間に設けられたファンを備えた請求項１から請求項１０のいずれか一項に記載の冷蔵庫。
【請求項１２】
前記当該棚板は、上下方向移動可能に設けられ、
前記冷気吹出し口は、その上端が前記当該棚板の可動範囲の上端よりも上方に配置され、かつ、その下端が前記当該棚板の可動範囲の下端よりも下方に配置された請求項１から請求項１１のいずれか一項に記載の冷蔵庫。
【請求項１３】
前記冷気吹出し口に、前記当該棚板と一体となって上下方向に移動可能に設けられ、前記冷気吹出し口より開口面積が小さい開口部を有する連結部を備えた請求項１２に記載の冷蔵庫。
【発明の詳細な説明】
【技術分野】
【０００１】
この発明は、冷蔵庫に関するものである。
【背景技術】
【０００２】
従来においては、ダクトカバーに形成された冷気吐出孔から庫内に冷気を吐出する冷蔵庫であって、ダクトカバーの前面に、冷蔵庫の幅方向に長く突出形成されてその内壁面が冷気吐出孔をなす冷気ガイドを設け、ダクトカバーの内側に、冷気ガイドの内壁面と連接される凸曲面部を持つ冷気誘導孔が形成されたダクト断熱材を固定したものが従来において知られている（例えば、特許文献１参照）。
【０００３】
また、従来における冷気循環式オープンショーケースにおいては、庫内に侵入した外気により天井面上に露が発生するのを防止することを目的としたものとして、庫内の天井板の奥部に冷気循環路を流れる冷却空気を、庫内側に導く通気孔を形成するとともに、庫内側に導かれた冷却空気が、庫内の天井面に沿って前方へ流れるように案内する風向ガイドを設けたものが知られている（例えば、特許文献２参照）。
【先行技術文献】
【特許文献】
【０００４】
【特許文献１】特開平１０−１８５４０６号公報
【特許文献２】特開平０６−２１３５５４号公報
【特許文献３】特開平０９−１２６６２６号公報
【特許文献４】特開平０６−０７４６３６号公報
【発明の概要】
【発明が解決しようとする課題】
【０００５】
ところで、一般的にいって、冷蔵庫の構造上、特に庫内の気流量が少なくなると庫内温度の偏りが発生し、扉近傍の手前側や上方は温度が高くなりやすい傾向にある。また、近年における生活スタイルの変化等によって、一度に多くの食材を購入して冷蔵庫に保存する傾向が強くなり、冷蔵庫の保存容量の大型化が進んでいる。このような事情のもと、食材を効率よく冷却するとともに、食材が多量に詰まっていても温度分布の偏りなく保存することができる冷蔵庫が求められている。また、同時に、冷蔵庫内の容積の減少や、送風ファンの大型化、騒音増加等を招くことなく、冷気を庫内全体に導くことができる冷蔵庫が求められている。
【０００６】
しかしながら、特許文献１に示された従来における冷蔵庫においては、冷気吐出孔（冷気吹出し口）から吐出された冷気が、棚の前面で垂直方向に下降してエアカーテンを形成することにより、ドアの開放に伴う冷気の庫外への流出を抑制することを目的としているものであって、棚の上面に載置された収容物を冷気により効率的に冷却する点について全く考慮されていない。
【０００７】
また、庫内の収容物の量が多くなると、冷気吐出孔（冷気吹出し口）から吐出された冷気の流れが収容物により阻害され、庫内における冷却度合いの偏りが大きくなってしまう。さらに、冷気吹出し口が庫内に突出した形状であるため、この突出した部位の上にゴミが溜まってしまうという問題や、収容物が引っかかる等して庫内の容積を有効に活用できない等の取り扱い上の問題もある。
【０００８】
また、特許文献２に示された従来の冷気循環式オープンショーケースは、天井面上に露が発生するのを防止することを目的としたものであり、棚の上面に載置された収容物を冷気により効率的に冷却する点について全く考慮されていない。
【０００９】
この発明は、このような課題を解決するためになされたもので、冷蔵庫の庫内に設けられた棚の上面に置かれた収容物を効率よく冷却することができるとともに、庫内の収容物の量が多くなった場合における庫内温度分布の偏りの発生を抑制することができる冷蔵庫を得るものである。
【課題を解決するための手段】
【００１０】
この発明に係る冷蔵庫においては、冷蔵庫本体が備える部屋内に１つ以上設けられ、収容物をその上面に載置するための棚板と、空気を冷却して冷気を生成する冷却器と、前記冷却器が生成した冷気を前記部屋へと供給するための冷気通路と、冷気を前記部屋へと送る気流を前記冷気通路内に発生させる送風機と、前記冷気風路と連通し、前記部屋の内壁面に設けられた冷気吹出し口と、少なくとも１つの前記棚板の下方に設けられ、前記冷気吹出し口が設けられた前記内壁面に近い箇所での当該棚板の下面との距離が、当該内壁面から遠い箇所での当該棚板の下面との距離以上となるように配置されたウイングと、を備えた構成とする。
【発明の効果】
【００１１】
この発明に係る冷蔵庫においては、冷蔵庫の庫内に設けられた棚の上面に置かれた収容物を効率よく冷却することができるとともに、庫内の収容物の量が多くなった場合における庫内温度分布の偏りの発生を抑制することができるという効果を奏する。
【図面の簡単な説明】
【００１２】
【図１】この発明の実施の形態１に係る冷蔵庫の全体構成の一例を模式的に示す側方断面図である。
【図２】この発明の実施の形態１に係る冷蔵庫の全体構成の他の例を模式的に示す側方断面図である。
【図３】この発明の実施の形態１に係る冷蔵庫が備える棚を側方から見た状態を模式的に示す断面図である。
【図４】図３に示す棚を上方から透視的に見た状態を模式的に示す断面図である。
【図５】この発明の実施の形態２に係る冷蔵庫が備える棚の一例を模式的に示す斜視図及びその要部の拡大図である。
【図６】この発明の実施の形態２に係る冷蔵庫が備える棚の他の例を模式的に示す斜視図及びその要部の拡大図である。
【図７】この発明の実施の形態３に係る冷蔵庫が備える棚の一例を側方から見た状態を模式的に示す断面図である。
【図８】図７に示す棚を上方から透視的に見た状態を模式的に示す断面図である。
【図９】図７に示す棚を模式的に示す斜視図である。
【図１０】この発明の実施の形態３に係る冷蔵庫が備える棚の他の例を上方から透視的に見た状態を模式的に示す断面図である。
【図１１】図１０に示す棚を模式的に示す斜視図である。
【図１２】この発明の実施の形態４に係る冷蔵庫が備える棚を側方から見た状態を模式的に示す断面図である。
【図１３】この発明の実施の形態５に係る冷蔵庫が備える棚を側方から見た状態を模式的に示す断面図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１から図４は、この発明の実施の形態１に係るもので、図１は冷蔵庫の全体構成の一例を模式的に示す側方断面図、図２は冷蔵庫の全体構成の他の例を模式的に示す側方断面図、図３は冷蔵庫が備える棚を側方から見た状態を模式的に示す断面図、図４は図３に示す棚を上方から透視的に見た状態を模式的に示す断面図である。
【００１５】
図１において、この発明の実施の形態１に係る冷蔵庫本体１は、発泡ウレタン等の断熱部材からなる断熱筐体内において、断熱部材により仕切られて区画されて設けられた複数の異なる温度帯の貯蔵室を備えている。これらの貯蔵室のうち、ここでは、最上段に配設され、室内容積の最も大きい部屋２を例にとりあげて説明する。
【００１６】
部屋２の内部には、１以上の棚（棚板）３が上下方向に並べられて設置されている。棚（棚板）３は、その上面に収容物を載置するためのものである。棚（棚板）３は、略水平に配置される。部屋２の内部は、これらの棚（棚板）３により、上下に複数の空間にほぼ仕切られている。
【００１７】
こうして棚（棚板）３に仕切られた複数の空間のうち、最下段の棚（棚板）３と部屋２内壁底面との間の空間内には、図示しないレール等の案内具に沿って、扉側へ引き出すことができる引き出し２１が設置されている。
また、部屋２の前面部には扉が開閉自在に設けられている。そして、この扉の部屋２内側には、ドアポケット２２が形成されている。
【００１８】
冷蔵庫本体１は、各貯蔵室へ供給する空気を冷却する冷凍サイクル回路、及び、この冷凍サイクル回路によって冷却された空気を各貯蔵室へ供給するための風路を備えている。
【００１９】
冷凍サイクル回路は、圧縮機４、圧縮機４から吐出された冷媒を凝縮させる凝縮器（図示せず）、凝縮器から流出した冷媒を膨張させる絞り装置（図示せず）、及び、絞り装置で膨張した冷媒によって各貯蔵室へ供給する空気を冷却する冷却器５等によって構成されている。圧縮機４は、例えば、冷蔵庫本体１の背面側の下部に配置される。
【００２０】
冷凍サイクル回路によって冷却された空気を各貯蔵室へ供給するための風路は、冷気通路６及び冷気戻り部７等から構成されている。
【００２１】
冷凍サイクル回路が備える冷却器５は、冷気通路６内に設置される。冷気通路６内には、冷却器５で冷却された空気を各貯蔵室へ送るための送風ファン８からなる空気搬送装置も設置される。この送風ファン８は、換言すれば、冷蔵庫本体１内で空気を循環させるためのものである。
【００２２】
冷気通路６は、冷却器５にて冷却された空気が、部屋２を含む冷蔵庫本体１が備える各貯蔵室へと搬送される通風路である。この冷気通路６は、例えば冷蔵庫本体１内の背面側に形成されている。
冷気戻り部７は、部屋２内を冷却した空気が、冷却器５へと搬送される通風路である。
【００２３】
部屋２内の棚（棚板）３によって仕切られた各空間の背面部には、それぞれ冷気吹出し口９が設けられている。これらの冷気吹出し口９は、冷気通路６と繋がっている。各冷気吹出し口９と冷気通路６とが繋がる部分には、冷気分岐部９１が形成される。ここで、冷気吹出し口９は、棚（棚板）３により区画された各空間のそれぞれの奥側（背面側）に位置する部分に形成することで、各区画に確実に冷気が送られる構造とすることが望ましい。
【００２４】
部屋２内には、部屋２内の空気の温度を検出する温度センサが設けられている。この温度センサの検出結果に基づいて、部屋２へと搬送される冷気の送風量や温度が制御される。より詳しくは、冷気通路６内における冷却器５から冷気分岐部９１へと通じる中途の箇所には、冷気通路６を開閉する図示しないダンパが設けられている。そして、このダンパを開閉させることで、部屋２へと搬送される冷気の送風量を制御することができる。また、部屋２へと搬送される冷気の温度の制御は、圧縮機４の運転を制御することにより行うことができる。
【００２５】
冷却器５によって冷却された冷却空気は、ダンパの開閉によって風量を調整された上で、冷気吹出し口９から部屋２内へと供給される。部屋２内を冷却した冷却空気は、冷気戻り部７を経由して冷気通路６内の冷却器５へと搬送される。そして、冷却器５によって再度冷却されて、冷蔵庫本体１内を冷気が循環される。
【００２６】
この図１に示すものは、冷蔵庫本体１の構成の一例であって、冷気通路６の一部に冷気分岐部９１が形成されている。これに対し、図２に示すものは、冷蔵庫本体１の構成の他の例であって、部屋２内の背面側に分岐カバー９２を設けることで、冷気通路６とは別に冷気分岐部９１を形成するようにしたものである。
【００２７】
すなわち、図２に示すように、部屋２内における、棚（棚板）３と背面部との間には、分岐カバー９２が取り付けられている。冷気通路６からは部屋２内の背面部に貫通する開口部が設けられており、分岐カバー９２は、部屋２内から当該開口部を覆うようにして設けられる。
【００２８】
分岐カバー９２には、複数の冷気吹出し口９が設けられている。これらの冷気吹出し口９は、棚（棚板）３により区画された各空間のそれぞれの奥側（背面側）に配置されるようになっている。このように構成された分岐カバー９２内の空間が冷気分岐部９１を形成している。
なお、他の構成は図１に示したものと同様であるため、説明を省略する。
【００２９】
このように構成された冷蔵庫においては、冷却器５によって冷却された空気は、冷気通路６を通り分岐カバー９２内の冷気分岐部９１へと入る。そして、この冷気分岐部９１において、それぞれの冷気吹出し口９へと分配されて各冷気吹出し口９から部屋２内へと吹き出す。
【００３０】
この図２に示すような分岐カバー９２を設けた構成とすることで、分岐カバー９２を代えるだけで冷気吹出し口９の配置の変更及び／又は冷気分岐部９１の形状の変更を行うことができる。以降においては、このような利点を鑑みて、図２示す分岐カバー９２を備えた構成を採用した場合を例として説明する。
【００３１】
次に、図３及び図４を参照しながら、この発明の実施の形態１に係る冷蔵庫が備える棚（棚板）３の構成の詳細について説明する。棚（棚板）３の下面には、棚下面ウイング３１及び棚下面リブ３２が設けられている。棚下面ウイング３１は、棚（棚板）３の下面における奥側すなわち背面側寄りの位置に取り付けられている。換言すれば、棚下面ウイング３１は、棚（棚板）３の下面における冷気吹出し口９に近接する箇所に配置されている。
【００３２】
ここで、分岐カバー９２に複数設けられた冷気吹出し口９のうちの少なくとも１つは、棚（棚板）３の下面に向けて（沿って）冷気が吹き出されるようにして配置された棚下面向け吹出し口９２１として設けられている。
【００３３】
棚下面ウイング３１は、棚（棚板）３の下面と略平行に配置された平板状又は翼状の部材からなる。棚下面ウイング３１は、棚（棚板）３の下面から下方へと懸垂するようにして取り付けられる。ここで、棚下面ウイング３１は、棚（棚板）３と略平行に配置する他、棚下面ウイング３１の棚下面向け吹出し口９２１に近接する奥側をより低く、扉側をより高くする、換言すれば、棚下面ウイング３１の上面と棚（棚板）３の下面との間の距離について、奥側にいくほど遠く、扉側にいくほど近くなるように配置されるようにすることがより望ましい。
【００３４】
なお、棚下面ウイング３１を、棚（棚板）３の下面と平行に配置した場合には、棚下面ウイング３１と棚（棚板）３の下面との距離について、冷気吹出し口９が設けられた内壁面に近い箇所と、当該内壁面から遠い箇所とで等しいということになる。したがって、棚（棚板）３の下面に対して棚下面ウイング３１を平行に配置した場合と奥側にいくほど下がるように傾斜させて設けた場合の両方を合わせて表現すると、棚下面ウイング３１は、冷気吹出し口９が設けられた内壁面に近い箇所での棚（棚板）３の下面との距離が、当該内壁面から遠い箇所での棚（棚板）３の下面との距離以上となるように配置されている、ということになる。
【００３５】
また、さらに、この際に、棚下面ウイング３１の奥側の端部が、対応する棚下面向け吹出し口９２１よりも下方に配置されるようにすることで、棚下面向け吹出し口９２１から流出した冷気を、棚下面ウイング３１により棚（棚板）３の下面に沿うように持ち上げて導くことができる。
【００３６】
加えて、棚下面ウイング３１の断面形状を、棚下面向け吹出し口９２１に近接する奥側がより厚く、扉側がより薄い形状とすることで、特に棚下面ウイング３１端部での乱流発生を抑制することができる。なお、棚下面ウイング３１の断面形状として、棚下面向け吹出し口９２１側の先端部を円弧上に丸めたり、棚下面ウイング３１の断面全体が弧を描くようにしたりすることによっても、乱流発生を抑制することができる。
【００３７】
また、棚下面ウイング３１の棚下面向け吹出し口９２１側の先端は、当該棚下面ウイング３１が取り付けられた棚（棚板）３の奥側の先端よりも扉側に位置するように配置される。すなわち、棚（棚板）３の奥側の先端と分岐カバー９２の扉側の端面との間の距離よりも、棚下面ウイング３１の棚下面向け吹出し口９２１側の先端と分岐カバー９２の扉側の端面との間の距離の方が広い。
【００３８】
このような位置関係で配置することにより、棚下面向け吹出し口９２１から流出した冷気の一部あるいは大部分が、棚下面ウイング３１と当該棚下面ウイング３１の上側の棚（棚板）３との間に導かれ、残りが棚下面ウイング３１の下側の棚（棚板）３の上方の空間へと送風される。
【００３９】
そして、棚下面ウイング３１の下の棚（棚板）３に置かれた食材の量が多くなく、冷気がスムーズに流れる状況では、棚下面ウイング３１の上下によらず冷気が送風され、棚下面ウイング３１の下の棚（棚板）３に置かれた食材の量が多い場合には、棚下面ウイング３１の上側の棚（棚板）３の下面に沿った気流が優先的に卓越する状況を形成することができる。
【００４０】
また、図４にも示すように、棚下面ウイング３１の横幅は、棚下面向け吹出し口９２１の横幅よりも幅広となるようにしている。このようにすることで、棚下面向け吹出し口９２１から部屋２内に流出した冷気が左右（横方向）に拡散する前に、棚下面ウイング３１に冷気を受けることによって、棚（棚板）３の下面へと向けた気流をより多く得ることができる。
【００４１】
さらにまた、図４に示すように、平面視において、棚下面ウイング３１は、棚（棚板）３よりも内側に配置されるようになっている。すなわち、棚下面ウイング３１は、棚（棚板）３の上面の面積より、棚下面ウイング３１の棚（棚板）３の上面に平行な投影面への射影面積の方が小さくなるように形成されている。このため、棚下面ウイング３１は棚（棚板）３の下に隠れるため、仮に棚（棚板）３の上から食品の屑や液状体等が落下してきた場合であっても、棚下面ウイング３１の上面にこれらが垂れ落ちて汚れることがなく、衛生性が低下することを抑制できる。
【００４２】
前述したように、棚下面ウイング３１が設けられた棚（棚板）３の下面には、棚下面ウイング３１の他、棚下面リブ３２も設けられている。この棚下面リブ３２は、棚（棚板）３の下面から略垂直下方に向けて突出して設けられる。この棚下面リブ３２は、棚下面ウイング３１によって導かれた、棚（棚板）３の下面を奥側から略手前側に向かう気流が自然に左右に散逸するのを防止し、棚（棚板）３の下面に沿った冷気の流れの方向を規制する。
【００４３】
図４に示す例では、棚下面リブ３２は４本設けられている。これらの棚下面リブ３２は、それぞれが扉側に向かうにつれて左右の外側へと広がるように曲がっていく形状となっている。このようにすることで、棚下面ウイング３１により棚（棚板）３の下面に沿うように導かれた気流が、棚（棚板）３の下面における左右の外側の方へと誘導される。このため、棚下面向け吹出し口９２１の幅が狭い場合であっても、棚（棚板）３の下面における広い範囲に冷気を行き渡らせることができる。
【００４４】
なお、この図４に示す例では、棚下面ウイング３１に近い奥側から棚（棚板）３の中央付近まで冷気を導くリブと、棚下面ウイング３１よりも扉側の位置（棚（棚板）３の中央付近）から棚（棚板）３の扉側端付近まで冷気を導くリブとが、それぞれ２本ずつ対に形成されている。このように、棚下面リブ３２の開始位置と終了位置とを適切な位置に配置することによって、冷気を効率よく誘導することができる。そして、例えば、図４に示すように幅広く全体に行き渡るようにしたり、逆に一部に集中的に流れるようにしたりすることができる。
【００４５】
以上のように構成された冷蔵庫は、冷蔵庫本体が備える部屋内に１つ以上設けられ、収容物をその上面に載置するための棚板と、空気を冷却して冷気を生成する冷却器と、冷却器が生成した冷気を部屋へと供給するための冷気通路と、冷気を部屋へと送る気流を冷気通路内に発生させる送風機と、冷気風路と連通し、部屋の内壁面に設けられた冷気吹出し口と、少なくとも１つの棚板の下方に設けられ、冷気吹出し口が設けられた内壁面に近い箇所での当該棚板の下面との距離が、当該内壁面から遠い箇所での当該棚板の下面との距離以上となるように配置されたウイングである棚下面ウイング３１と、を備えている。
【００４６】
このため、冷気吹出し口からの冷気の流れを、棚下面ウイング３１により棚（棚板）３に沿うように誘導することができる。そして、棚（棚板）３の下面に沿う冷気の流れを作り出すことで、下面から棚（棚板）３を冷却し、棚（棚板）３を通じた熱伝導によって、棚（棚板）３の上面に載置された収容物を効率的に冷却することができる。
【００４７】
また、冷気の流れを棚（棚板）３の下面の近傍に集めるように形成することで、庫内の収容物の量が多くなった場合にも、冷気の流れを収容物により阻害されることがなく、庫内温度分布の偏りの発生を抑制することができる。
【００４８】
よって、庫内に食材を多く保存している場合、従前の冷蔵庫においては、食材及び／又は容器の隙間が乏しく、冷気が遮られることによって、新たに冷やすために置いた食材の冷却が遅くなって食材が劣化するおそれがある。これに対し、この発明に係る冷蔵庫によれば、下面に棚下面ウイング３１が取り付けられた棚（棚板）３に接触するように置くか、あるいは、当該棚（棚板）３に既に置かれている冷却済みの食材の上に置くことによって、効率よく冷却することができる。
【００４９】
また、棚下面ウイング３１が取り付けられた棚（棚板）３の下面に、当該下面から垂直に下方へと突出して設けられた棚下面リブ３２を設けることで、棚下面ウイング３１により棚（棚板）３の下面に沿って流れるように誘導された冷気を、棚下面リブ３２により棚（棚板）３の下面の所望の箇所へと行きわたらせることができ、効率的な冷却の実現に寄与する。
【００５０】
さらに、棚下面リブ３２を、２つ以上設け、これら２つ以上の棚下面リブ３２のうち、対となる２つの棚下面リブ３２同士の間隔について、冷気吹出し口９が設けられた内壁面に近い箇所での間隔が、当該内壁面から遠い箇所での間隔より狭くなるように配置することで、前述したように、棚下面向け吹出し口９２１の幅が狭い場合であっても、棚（棚板）３の下面における広い範囲に冷気を行き渡らせることができる。
【００５１】
なお、棚（棚板）３を構成する材料としては、棚（棚板）３の熱伝導性を重視する場合には、アルミニウムやカーボン等を棚（棚板）３の少なくとも一部に用いるようすることが望ましい。また、冷蔵庫の部屋内の視認性を重視する場合には、棚（棚板）３の少なくとも一部に透明な樹脂やガラス等を用いることが望ましい。
【００５２】
実施の形態２．
図５及び図６は、この発明の実施の形態２に係るもので、図５は冷蔵庫が備える棚の一例を模式的に示す斜視図及びその要部の拡大図、図６は冷蔵庫が備える棚の他の例を模式的に示す斜視図及びその要部の拡大図である。
ここで説明する実施の形態２は、前述した実施の形態１の構成において、棚下面ウイング３１及び／又は棚下面リブ３２を、棚（棚板）３に対し着脱自在に設けたものである。
【００５３】
まず、図５を参照しながら、この発明の実施の形態２の構成の一例について説明する。この図５に示す例においては、棚下面ウイング３１の左右両端部には、係合部が形成されている。この係合部は、棚下面ウイング３１の左右両端のそれぞれから上方へと直立された部位と、当該直立された部位の上端において左右方向にわたって略水平に設けられた部位とから構成される。こうして形成された係合部は、正面視略Ｔ字状を呈する。
【００５４】
また、棚（棚板）３の下面には、棚下面スリーブ３０１が設けられている。棚下面スリーブ３０１は、棚下面ウイング３１の左右の係合部のそれぞれに対応して、２つが対として設けられる。１つの棚下面スリーブ３０１は、棚下面ウイング３１の係合部の形状（略Ｔ字状）に対応して、正面視略Ｌ字状の部位と正面視略逆Ｌ字状の部位とが対になって構成される。
【００５５】
このようにして構成された棚下面ウイング３１の係合部を棚下面スリーブ３０１に前後方向からスライドさせて係合させることにより、棚下面ウイング３１を棚（棚板）３の下面に着脱可能に取り付けることができる。
【００５６】
次に、図６を参照しながら、この発明の実施の形態２の構成の他の例について説明する。この図６に示す例においては、棚下面ウイング３１の四隅部には、ウイング懸垂部材３１１がそれぞれ取り付けられている。これらのウイング懸垂部材３１１は、棚下面ウイング３１の四隅部から、上方に向けて直立されている。
【００５７】
また、棚（棚板）３の下面には、棚下面取付け部３０２が設けられている。棚下面取付け部３０２は、棚下面ウイング３１のウイング懸垂部材３１１のそれぞれに対応して配置されている。ウイング懸垂部材３１１は、中心軸に沿って穴が設けられた中空円筒状を呈する。これに対し、各棚下面取付け部３０２は、ウイング懸垂部材３１１の穴に係合する突起部が下方に向けて突設されている。そして、棚下面取付け部３０２の突起部をウイング懸垂部材３１１の穴に係合させることで、棚下面ウイング３１を棚（棚板）３に対して着脱可能に取り付けることができる。
【００５８】
なお、図６に示すように、複数の棚下面取付け部３０２を、棚下面ウイング３１のウイング懸垂部材３１１間の間隔寸法に合わせて格子状等に配置してもよい。このようにすることにより、ウイング懸垂部材３１１と係合させる棚下面取付け部３０２を適宜に選択することで、棚下面ウイング３１の取付位置を変更することができる。図５に示す例における棚下面スリーブ３０１についても同様である。
【００５９】
なお、棚下面リブ３２についても、棚下面ウイング３１と同様にして、棚（棚板）３に対して着脱可能に取り付けるようにしてもよい。このようにすることによって、棚下面ウイング３１及び／又は棚下面リブ３２を取り外して洗って衛生性を保ったり、壊れた際に取り替えたり、邪魔な場合に外したり、長さや大きさなどの仕様の異なるものに取り替えて冷気搬送機能を変化させたりすることが可能となる。
【００６０】
また、棚下面ウイング３１、棚下面リブ３２、棚下面スリーブ３０１、棚下面取付け部３０２及びウイング懸垂部材３１１については、柔軟性、可撓性あるいは弾性のある材料、例えば、シリコーンゴム、軟質樹脂材料等、で形成することが望ましい。棚下面ウイング３１及び棚下面リブ３２は、食材保管空間に突出しているために、食材や食材容器などと接触する可能性が高い。そこで、上に挙げたような性質を有する材料を用いることによって、棚下面ウイング３１等の破損と食材や容器の傷付きとを防止することができる。
【００６１】
また、棚下面ウイング３１及び／又は棚下面リブ３２の一部が、食材容器と接触して押し潰れるように変形した状態であっても、一定の冷風誘導機能は果たすことができる。特に棚下面リブ３２への柔軟性付与は、棚下面リブ３２の取り付ける位置を可変とした場合に特に有効である。すなわち、利用者が所望する位置に冷風を導きたい場合に、棚下面リブ３２を弾性的に変形させ、曲げる方向を任意に変更できるため使い勝手がよい。
【００６２】
さらにまた、特に、ウイング懸垂部材３１１をシリコーンゴム等で形成した場合、棚下面取付け部３０２の最下端部を、やや大きくすることで、棚下面取付け部３０２とウイング懸垂部材３１１との係合が外れにくくすることができる。
【００６３】
加えて、棚（棚板）３を透明（例えば無色透明）とした上で、棚下面ウイング３１及び／又は棚下面リブ３２に着色を施すようにしてもよい。このようにすることによって、棚下面ウイング３１及び／又は棚下面リブ３２の配置された位置を利用者は棚（棚板）３の上側から容易に視認することができる。
【００６４】
そして、利用者は、棚下面ウイング３１及び／又は棚下面リブ３２の位置を目視で確認することで、棚下面ウイング３１及び／又は棚下面リブ３２により導かれて形成される冷風の経路を容易に推測することが可能となる。したがって、利用者は、庫内の所望の位置に、冷風がよく当たり、より低温を維持することができるスポットを形成したり、食品を置く位置を目視により判別したりすることが容易にできる。
【００６５】
具体的に例えば、棚（棚板）３の下面における左手前に冷気が最も導かれるように青色に着色された棚下面ウイング３１及び棚下面リブ３２を設置し、右手前には冷気を遮るようにして赤色に着色された棚下面リブ３２を設置する。そして、青い棚下面リブ３２の近傍には、早く冷やしたい食品や、低温を維持した方が食味が良かったり、劣化しやすい食材を置く。一方、赤い棚下面リブ３２の近傍には、ゆっくり冷やしてもよい食品や低温を維持する必要が少ない食品を置く。このような工夫を講じることができ、冷蔵庫をより効率よく、利用者にとって使い勝手がよくなるようにカスタマイズすることができる。
なお、他の構成については実施の形態１と同様であって、その詳細説明は省略する。
【００６６】
実施の形態３．
図７から図１１は、この発明の実施の形態３に係るもので、図７は冷蔵庫が備える棚の一例を側方から見た状態を模式的に示す断面図、図８は図７に示す棚を上方から透視的に見た状態を模式的に示す断面図、図９は図７に示す棚を模式的に示す斜視図、図１０は冷蔵庫が備える棚の他の例を上方から透視的に見た状態を模式的に示す断面図、図１１は図１０に示す棚を模式的に示す斜視図である。
【００６７】
ここで説明する実施の形態３は、実施の形態１又は実施の形態２の構成において、棚（棚板）３の下面に設けた棚下面リブ３２により冷気が導かれるほぼ終端の位置に、下降流リブ３３を設けるようにしたものである。
【００６８】
すなわち、図７から図９に示すように、棚（棚板）３の下面における扉寄りであって、棚下面リブ３２により冷気が導かれるほぼ終端の位置には、下降流リブ３３が設けられている。この下降流リブ３３は、棚（棚板）３の下面から扉側へと斜め下方に向けて突出するようにして設けられる。換言すれば、この下降流リブ３３の長手は、棚（棚板）３の下面に沿って形成された気流の経路を横切るようにして配置されている。
【００６９】
棚下面ウイング３１及び棚下面リブ３２の作用により棚（棚板）３の下面に沿って扉側に向かって流れてきた冷気の流向は、この下降流リブ３３により下方向へと変えられる。そして、例えば、図９に示すように、下降流リブ３３が設けられた棚（棚板）３の下の棚（棚板）３上に設定された急冷スポット１０へと冷気が向けられる。
【００７０】
また、図８に示すように、分岐カバー９２における部屋２内の側壁面寄りの位置にも冷気吹出し口９を設け、部屋２内の側壁面に沿った冷気の流れを生成している場合、側面壁に側面リブ３４を設けるようにしてもよい。この側面リブ３４は、部屋２内の側面壁の扉寄りの位置に設けられている。側面リブ３４は、部屋２内の側壁面から扉側へと斜め内方に向けて突出するようにして設けられる。換言すれば、この側面リブ３４の長手は、側壁面に沿って形成された気流の経路を横切るようにして配置されている。
【００７１】
部屋２内の側面に沿って扉側に向かって流れてきた冷気の流向は、この側面リブ３４により内側の方向へと変えられる。そして、例えば、図９に示すように、急冷スポット１０へと冷気が向けられる。
【００７２】
このようにして、実施の形態１又は実施の形態２の構成に加えてさらに下降流リブ３３及び／又は側面リブ３４を設けることにより形成された急冷スポット１０においては、他の部分に比べると風速が早い。このため、急冷スポット１０に熱い食材を置いた場合に、速やかに冷却したり、周辺の既に冷却済みの食品との間にエアカーテンを形成し、熱い食材周辺に発生する上昇気流や熱溜まりを解消することができる。そして、速やかに気流を冷気戻り部７に導くとともに、周辺食材が輻射熱によって温度上昇するのを抑制することができる。
【００７３】
なお、利用者が急冷スポット１０の形成された位置を視認しやすくするために、下降流リブ３３が設けられた棚（棚板）３の下の棚（棚板）３の上面における急冷スポット１０の形成された位置にマーキングを施すようにしてもよい。このマーキングすなわち急冷スポット１０は、下降流リブ３３により生成された下降流及び／又は内壁面リブ（側面リブ３４）により部屋２の内方へと誘導された気流の当たる位置に配置される。
【００７４】
また、図１０及び図１１に示すものは、下降流リブ３３の位置を移動可能とすることで、急冷スポット１０が形成される位置を移動させることができるように構成した例である。この構成においては、まず、少なくとも２本一対の棚下面リブ３２を、可撓性、柔軟性あるいは弾性を有する材料で形成する。そして、当該一対の棚下面リブ３２の奥側を例えばウイング懸垂部材３１１にそれぞれ固定する。また、当該一対の棚下面リブ３２の扉側の端部を下降流リブ３３の左右両端に接続する。下降流リブ３３は棚（棚板）３の下面に沿って左右方向に移動可能に取り付けられる。
【００７５】
このようにすることで、下降流リブ３３の左右方向の位置を変更することが可能である。また、この際、変更された下降流リブ３３の位置に応じて、棚下面リブ３２も変形して、奥側から下降流リブ３３が現在ある位置まで冷気を導く経路が形成される。ここで、図１１に示すように、下降流リブ３３の扉側に、取っ手３３１を設けることで下降流リブ３３の位置を変更する際の利便性を向上することができる。
【００７６】
以上のような構成により、下降流リブ３３の取っ手３３１を左右にスライドすると、これに応じて棚下面リブ３２の屈曲方向が追随し、下降流リブ３３の下方に急冷スポット１０が形成される。よって、利用者は、熱い食材又は容器を庫内に新たに追加して置こうとした際に、棚（棚板）３の下段の空間の食材を大まかに整理してスペースを作り、ここに新たに冷やす食材を置き、下降流リブ３３を食材の上方近傍にスライドさせることで、新たに投入した食材近傍に冷気が導かれ、効率よく冷却することができる。
なお、他の構成については実施の形態１又は実施の形態２と同様であって、その詳細説明は省略する。
【００７７】
実施の形態４．
図１２は、この発明の実施の形態４に係るもので、冷蔵庫が備える棚を側方から見た状態を模式的に示す断面図である。
ここで説明する実施の形態４は、前述した実施の形態１から実施の形態３のいずれかの構成に加えて、図１２に示すように、棚（棚板）３の下面に棚下面ファン３５をさらに設けるようにしたものである。この棚下面ファン３５は、ここでは、棚（棚板）３であって、かつ、棚下面ウイング３１の略直上に配置される。
【００７８】
この棚下面ファン３５は、回転軸が棚（棚板）３の下面に対して略垂直となるように取り付けられる。そして、棚下面ファン３５を回転させると、棚下面ウイング３１上の冷気をさらに上方へと吸い上げ、迅速に冷気が棚（棚板）３の下面に沿って流れる。ここで、図１２に示すように、棚下面ファン３５が取り付けられる棚（棚板）３の奥側の端部を下方へと折り曲げておくことで、棚下面ファン３５により吸い上げられた冷気が奥側へと戻ってしまうことを防止することができる。
【００７９】
また、棚下面ファン３５のファン回転数を可変にすることによって、庫内温度や収容された食品の量や詰まり具合に応じて、棚（棚板）３の下面に沿った冷風量を適切に調節することができる。さらに、棚下面ファン３５を停止させることで、急冷スポット１０の有無を切り替えることも可能である。
【００８０】
なお、棚下面ファン３５への電力供給を、誘導コイルなどを用いた無線電力搬送によって行うことで、棚（棚板）３の着脱や配置を妨げることなく棚下面ファン３５を設置することができて、使い勝手がよい。
他の構成については実施の形態１から実施の形態３のいずれかと同様であって、その詳細説明は省略する。
【００８１】
以上のように、棚（棚板）３の下面と、棚下面ウイング３１との間に棚下面ファン３５を設けることで、冷気吹出し口９（棚下面向け吹出し口９２１）から吹き出した冷気を迅速に棚（棚板）３の下面に沿う気流へと誘導することができる。
【００８２】
実施の形態５．
図１３は、この発明の実施の形態５に係るもので、冷蔵庫が備える棚を側方から見た状態を模式的に示す断面図である。
ここで説明する実施の形態５は、前述した実施の形態１から実施の形態４のいずれかの構成において、棚（棚板）３の設置位置を上下方向に移動可能とした上で、当該棚（棚板）３の位置にかかわらず棚（棚板）３の下面へと常に冷気を送風することができるようにしたものである。
【００８３】
この実施の形態５においては、棚（棚板）３は、図示しない支持機構により、予め定められた範囲内でその設置位置を上下方向に移動させることができるように支持されている。そして、この場合に、棚下面向け吹出し口９２１の上下方向の開口寸法を大きくし、棚（棚板）３が前記範囲内のどの位置にあっても、少なくとも棚（棚板）３の棚下面ウイング３１へと冷気が送風されるようにすれば、一応の目的は達成される。
【００８４】
すなわち、棚下面向け吹出し口９２１の上端が、棚（棚板）３棚を前記範囲内で最も上に配置した際の棚下面ウイング３１よりも上方に位置し、かつ、棚下面向け吹出し口９２１の下端が、当該棚（棚板）３を前記範囲内で最も下に配置した際の当該棚（棚板）３の下面よりも下方に位置するように、棚下面向け吹出し口９２１の大きさ及び位置を調整すればよい。
【００８５】
しかしながら、この構成では、棚下面向け吹出し口９２１の開口面積が広くなるため、棚下面向け吹出し口９２１から吹き出す冷気の風速が十分に得られなくなる等の不都合が発生するおそれもある。また、構造等の制約により、棚下面ウイング３１と棚下面向け吹出し口９２１とにズレが生じる場合も考えられる。
【００８６】
そこで、そのような場合には、図１３に示すように、棚−吹出し口連結部３６を設けることで、棚下面向け吹出し口９２１の開口面積は小さく保ったまま、棚（棚板）３の上下方向の位置によらず、当該棚（棚板）３の棚下面ウイング３１に冷気を送ることができるようになる。
【００８７】
すなわち、図１３に示す構成においては、棚下面向け吹出し口９２１の上下方向の開口寸法は、前述したように、棚（棚板）３の上下方向の位置によらず当該棚（棚板）３の棚下面ウイング３１に冷気を送ることができる程度に拡大されている。そして、この棚下面向け吹出し口９２１に、さらに、棚−吹出し口連結部３６が上下方向移動可能に取り付けられている。
【００８８】
棚−吹出し口連結部３６は、この棚下面向け吹出し口９２１を十分に覆うことができる程度の大きさを持つ板状部材を備えている。この板状部材の上下方向の寸法は、棚下面向け吹出し口９２１の寸法に棚（棚板）３の上下方向可動範囲の寸法を加えたものよりも若干大きくなるように調整されている。そして、この棚−吹出し口連結部３６の前記板状部材と、上下に可動する棚（棚板）３とは、棒状部材を介して連結されている。このようにして、棚（棚板）３と棚−吹出し口連結部３６とは、略一体となって上下方向に移動可能に設けられる。
【００８９】
棚−吹出し口連結部３６の前記板状部材には、他の冷気吹出し口９と同程度の開口面積を持つ開口部が設けられている。すなわち、この開口部の開口面積は、棚−吹出し口連結部３６が設けられている棚下面向け吹出し口９２１の開口面積より小さい。この開口部は、棚（棚板）３の下面に向けて冷気を吹き出すことができる位置に配置されている。前述したように、棚（棚板）３と棚−吹出し口連結部３６とは略一体となって移動するため、棚（棚板）３を上下に移動させても棚（棚板）３と棚−吹出し口連結部３６との相対的な位置関係は変わらない。したがって、棚−吹出し口連結部３６に設けられた開口部と棚（棚板）３との相対位置も不変である。
【００９０】
このため、棚（棚板）３を上下に移動させても、棚−吹出し口連結部３６に設けられた開口部は常に当該棚（棚板）３の下面へと向けて冷気を吹き出すことができる位置関係を維持することができる。しかも、棚下面向け吹出し口９２１のうち、棚（棚板）３の下面以外へと冷気が吹き出すことになる部分を、棚−吹出し口連結部３６の前記板状部材により覆うことができる。よって、棚（棚板）３の下面へと向かわない冷気の流出を防ぎ、棚（棚板）３の下面へと効率的に冷気を吹き出すことができる。
【００９１】
なお、棚（棚板）３を部屋２内に着脱可能に設ける場合、棚（棚板）３の着脱に合わせて、前記棒状部材を介して棚（棚板）３と棚−吹出し口連結部３６との連結も円滑に繋がったり外れたりできるようにすることが好ましい。
【００９２】
以上のように構成された冷蔵庫においては、棚（棚板）３は上下方向移動可能に設けられ、冷気吹出し口９（棚下面向け吹出し口９２１）は、その上端が当該棚（棚板）３の可動範囲の上端よりも上方に配置され、かつ、その下端が当該棚（棚板）３の可動範囲の下端よりも下方に配置されている。
【００９３】
このため、棚（棚板）３が可動範囲内のどの位置にあっても、棚下面向け吹出し口９２１から棚（棚板）３の棚下面ウイング３１へと冷気を送ることができる。
【００９４】
また、さらに、棚下面向け吹出し口９２１に、当該棚（棚板）３と一体となって上下方向に移動可能に設けられ、棚下面向け吹出し口９２１より開口面積が小さい開口部を有する棚−吹出し口連結部３６を備えるようにすることで、棚（棚板）３の位置によらずに、棚（棚板）３の下面へと向けて冷気を送ることができ、かつ、棚（棚板）３の下面へと向かわない冷気の流出を防ぎ、棚（棚板）３の下面へと効率的に冷気を送ることができる。
【符号の説明】
【００９５】
１  冷蔵庫本体、  ２  部屋、  ２１  引き出し、  ２２  ドアポケット、  ３  棚（棚板）、  ３０１  棚下面スリーブ、  ３０２  棚下面取付け部、  ３１  棚下面ウイング、  ３１１  ウイング懸垂部材、  ３２  棚下面リブ、  ３３  下降流リブ、  ３３１  取っ手、  ３４  側面リブ、  ３５  棚下面ファン、  ３６  棚−吹出し口連結部、  ４  圧縮機、  ５  冷却器、  ６  冷気通路、  ７  冷気戻り部、  ８  送風ファン、  ９  冷気吹出し口、  ９１  冷気分岐部、  ９２  分岐カバー、  ９２１  棚下面向け吹出し口、  １０  急冷スポット。
【図１】
2014159894.tif 000003
【図２】
2014159894.tif 000004
【図３】
2014159894.tif 000005
【図４】
2014159894.tif 000006
【図５】
2014159894.tif 000007
【図６】
2014159894.tif 000008
【図７】
2014159894.tif 000009
【図８】
2014159894.tif 000010
【図９】
2014159894.tif 000011
【図１０】
2014159894.tif 000012
【図１１】
2014159894.tif 000013
【図１２】
2014159894.tif 000014
【図１３】
2014159894.tif 000015